(57)【特許請求の範囲】
【請求項１】
第１ファスナーストリンガー(17)の一側縁に配された第１務歯列(13)の下端に連設した箱棒(40)と、
第２ファスナーストリンガー(16)の一側縁に配された第２務歯列(12)の下端に連設した蝶棒(30)と、
後ろ口同士が対向して配置され、上開きを可能にする上スライダー(50)、及び逆開きを可能にする下スライダー(60)と、
を有する開離嵌挿具(22)を備え、
前記箱棒(40)における前記第１務歯列(13)とは反対側の端部に、前記下スライダー(60)の脱落を防止するストッパー(46)を有し、
前記箱棒(40)の前記蝶棒(30)と相対する対向側縁に、第１係止部(44)を有し、
前記蝶棒(30)の前記箱棒(40)と相対する対向側縁に、前記第１係止部(44)と係合することにより、前記蝶棒(30)の下方向への位置決めを行う第２係止部(34)を有し、
前記上スライダー(50)及び下スライダー(60)は、前記第１務歯列(13)及び第２務歯列(12)を挿通する務歯列案内通路を形成する表裏翼片(52,54;62,64) を有する、逆開きスライドファスナーにおいて、
前記箱棒(40)における前記上スライダー(50)の表裏翼片(52,54) の内面と相対する表側面及び裏側面の少なくとも一方に、前記表裏翼片(52,54) の内面と接触して、その摩擦力が上スライダー(50)の下方に向かう自由な摺動を重力に抗して抑制する突出部(48, 248,348) を有してなることを特徴とする逆開きスライドファスナー。
【請求項２】
前記突出部(248，348)が複数配置されてなることを特徴とする請求項１に記載の逆開きスライドファスナー。
【請求項３】
前記上スライダー(50)における表裏翼片(52,54)の前記各内面間の間隔よりも、前記下スライダー(60)における表裏翼片(62,64)の内面間の間隔が大きく設定されてなることを特徴とする請求項１又は２に記載の逆開きスライドファスナー。
【請求項４】
前記箱棒(40)における前記下スライダー(60)の表裏翼片(62,64)の内面と相対する表側面及び裏側面の少なくとも一方に、前記表裏翼片(62,64)の内面と接触して、下スライダー(60)の自由な摺動を抑制する突出部(149)を有してなることを特徴とする請求項１〜３のいずれかに記載の逆開きスライドファスナー。
【発明の詳細な説明】
【技術分野】
【０００１】
本発明は、上開き及び逆開きが可能で、かつ開離嵌挿が可能な逆開きスライドファスナーに関する。
【背景技術】
【０００２】
衣類における左右前身頃の開閉を行うためのスライドファスナーとして、務歯列の下端に箱棒及び蝶棒を備えた開離嵌挿式のスライドファスナーが用いられている。
【０００３】
一般の開離嵌挿具付きのスライドファスナーでは、一方の務歯列の下端に蝶棒を形成し、他方の務歯列の下端には箱棒を介して固設された前記蝶棒を嵌挿するための箱体が連設されている。この開離嵌挿具付きのスライドファスナーでは、スライダーを箱体と当接する最下位まで下げた状態において、蝶棒が箱体及びスライダーに対して挿抜自在となるように構成されており、左右のファスナーストリンガーを分離することが可能となっている。
【０００４】
米国特許第２，１５７，３８１号明細書（特許文献１）には、通常のスライドファスナー用の開離嵌挿具において、蝶棒をスライダーから抜き取った状態にあるときのスライダーのエレメント上における自由な摺動を抑制することを目的とした発明が記載されている。
【０００５】
特許文献１に記載されている開離嵌挿具は、第１ファスナーストリンガーにおける務歯列の下端に箱棒を備え、当該箱棒には、第２ファスナーストリンガーにおける務歯列の下端に連設した蝶棒を嵌挿する箱体が固定されている。第１ファスナーストリンガーの務歯列には、双方の務歯列を挿通しながら摺動させることにより、スライドファスナーの左右務歯列同士を噛合状態又は離間状態に操作する単一のスライダーが挿通されている。
【０００６】
特許文献１に記載されている開離嵌挿具の箱棒には、スライダーのフランジ内面と相対する表裏両側面に、スライダーのフランジ内面に形成された凹部（ノッチ部）と係合することにより、スライダーの自由な摺動を抑制する突起部が形成されている。
【０００７】
着衣者が、双方のファスナーストリンガー同士を分離した状態から結合させる際において、スライダーの開口部に対する蝶棒の嵌挿操作をより容易にするために、務歯列の下方を着衣者から見て前方に屈曲させてゆき、着衣者が見易い位置まで持ち上げた状態にしてから蝶棒をスライダーの開口部に嵌挿する場合がある。特に、下端が足元付近まで延びているような、丈の長い衣服の下端に開離嵌挿具が取り付けられている場合に、この方法がよく用いられる。
【０００８】
このように、務歯列の下端を前方に屈曲させて持ち上げると、スライドファスナーの下端において上下関係が逆さになるので、箱体が上方に位置し、スライダーがその下方に位置することになる。すると、重力によりスライダーが箱棒から離間する方向に下がってしまうことがある。スライダーが箱棒から離間してしまうと、嵌挿しようとしている蝶棒が、箱棒に連なっている務歯列と干渉してしまい、蝶棒を嵌挿することができないという不具合を生じていたが、特許文献１に記載されているスライドファスナーによれば、箱棒の表裏側面に形成されている突起部が、スライダーのフランジ内面に形成された凹部と係合することにより、スライダーが箱体から離間しないように構成されている。
【０００９】
なお、特開２００５−２４５８５９号公報（特許文献２）には、２つのスライダーの後ろ口を尻合わせに配置することにより、上方及び下方の両方からの両開きを可能とした逆開きスライドファスナー用の開離嵌挿具も提案されている。
【００１０】
特許文献２に記載されている逆開きスライドファスナーは、上方及び下方の両方からの開閉を可能にするための上スライダーと下スライダーとを備え、上スライダーと下スライダーとの後ろ口同士を尻合わせに当接させた状態において、上スライダー及び下スライダーに対して挿抜可能な蝶棒が、一方の務歯列の下端に取り付けられている。また、他方の務歯列の下端には、下スライダーを最下位にて係止させるための抜け止めストッパーが形成された箱棒が取り付けられている。
【特許文献１】米国特許第２，１５７，３８１号明細書
【特許文献２】特開２００５−２４５８５９号公報
【発明の開示】
【発明が解決しようとする課題】
【００１１】
特許文献２に記載されている開離嵌挿具を備えた逆開きスライドファスナーを、衣服の左右前身頃の開閉用に用いた場合における操作について考察する。先ず、左右のファスナーストリンガー同士を全て噛合させた状態で上スライダーを下方へ摺動させると、衣類の上方から左右前身頃を開くことができる。また、スライドファスナーが開いた状態で下スライダーを上スライダーとともに下から上方に向けて摺動させると、左右前身頃を下方から開くことができる。
【００１２】
衣類を脱ぐ場合には、上スライダー及び下スライダーの後ろ口同士を尻合わせに当接させた後に、最下位まで下げる。そして、務歯列の下端に取り付けられている蝶棒を、上スライダー及び下スライダーから抜き取る操作を行う。これにより、左右のファスナーストリンガーが開離するので、左右の前身頃を分離させて、衣類を脱ぎやすい状態にすることができる。
【００１３】
ところが、蝶棒を上スライダー及び下スライダーから抜き取るためには、完全に左右の務歯列同士の噛合を外した状態に維持しておかなければならない。そのためには、上スライダー及び下スライダーの後ろ口同士を尻合わせに当接させた状態を維持し、かつ、ファスナーストリンガーの下端まで下げておく必要がある。
【００１４】
また、衣服を着る場合には、開離している左右の務歯列同士を噛合させるために、蝶棒を上スライダー及び下スライダーの開口部に嵌挿させる必要がある。この場合にも、上スライダー及び下スライダーの後ろ口同士を尻合わせに当接させた状態を維持しておくとともに、ファスナーストリンガーの下端まで下げた状態を維持しておかないと、嵌挿する蝶棒が務歯列と干渉してしまい、蝶棒の嵌挿が困難になってしまう。
【００１５】
更に、務歯列の下方を着衣者から見て前方に屈曲させ、着衣者が見易い位置まで持ち上げた状態にしてから蝶棒を嵌挿する場合には、重力により上スライダーが単独で、或いは上下のスライダーが一緒になってが箱棒から離間する方向に下がることが多い。特に、上のスライダーが離間した状態で箱棒から離れると、各スライダーの間でストリンガーが折れ曲がり、各スライダーに挿入しようとしている蝶棒が一気に挿入できず、箱棒に連なっている務歯列と干渉してしまい、蝶棒の挿入操作が煩雑化してしまうという不具合を生じていた。
【００１６】
本発明は、こうした従来技術のもつ問題点を解決するために創出されたもので、上スライダーと下スライダーとの後ろ口を尻合わせに組み合わせたことにより逆開きが可能で、かつ開離嵌挿が可能なスライドファスナーにおいて、蝶棒を上スライダー及び下スライダーから抜き取って開離させた状態においても、上スライダー及び下スライダーを箱棒の下端にしっかりと保持しておくことが可能な逆開きスライドファスナーを提供することを目的としている。
【課題を解決するための手段】
【００１７】
前述の目的を達成すべく、本発明に係る逆開きスライドファスナーは、第１ファスナーストリンガーの一側縁に配された第１務歯列の下端に連設した箱棒と、第２ファスナーストリンガーの一側縁に配された第２務歯列の下端に連設した蝶棒と、後ろ口同士が対向して配置され、上開きを可能にする上スライダー、及び逆開きを可能にする下スライダーとを有する開離嵌挿具を備え、前記箱棒における前記第１務歯列とは反対側の端部には、前記下スライダーの脱落を防止するストッパーを有し、前記箱棒の前記蝶棒と相対する対向
側縁には、第１係止部を有し、前記蝶棒の前記箱棒と相対する対向側縁には、前記第１係止部と係合することにより、前記蝶棒の下方向への位置決めを行う第２係止部を有し、前記上スライダー及び下スライダーは、前記第１務歯列及び第２務歯列を挿通する務歯列案内通路を形成する表裏翼片を有する、逆開きスライドファスナーにおいて、前記箱棒における前記上スライダーの表裏翼片の内面と相対する表側面及び裏側面の少なくとも一方に、前記表裏翼片の内面と接触して、その摩擦力が上スライダーの下方に向かう自由な摺動を重力に抗して抑制する突出部を有していることを特徴とする。
【００１８】
また、前記突出部として、長円形、円錐台形状及び円柱形状のうちの少なくとも一の突出部を複数配置することが好ましい。
また、上記発明に加えて、前記上スライダーにおける表翼片内面と裏翼片内面との間の内側高さよりも、前記下スライダーにおける表翼片内面と裏翼片内面との間の内側高さを高く設定することが好ましい。
また、前記箱棒における前記下スライダー翼片の内面と相対する表側面及び裏側面の少なくともいずれか一方に、前記下スライダー翼片の内面と接触して、下スライダーの自由な摺動を抑制する突出部を形成することが好ましい。
【発明の効果】
【００１９】
本発明によれば、逆開きスライドファスナーにおける箱棒の表側面及び裏側面の少なくともいずれか一方に突出部を形成したので、上スライダー及び下スライダーの後口同士を接触させて箱棒の下端まで下げた状態において、上スライダー翼片内面と前記突出部とを接触させることにより、その接触力によって上スライダーの自重による自由な摺動を抑制することができる。したがって、蝶棒を上スライダー及び下スライダーから抜き取って開離させた状態においても、上スライダー及び下スライダーを箱棒の下端に保持しておくことが容易となり、蝶棒の嵌入操作が容易となる。
【００２０】
更に、接触面積の少ない突出部を複数配置することによって、突出部と翼片内面と間の間隔が一律とならない場合であっても、突出部と翼片内面との間に生ずる摩擦力を所定の範囲内に維持することができる。例えば、表側面及び裏側面に突出部が形成されている箱棒は、その表裏の側面を用いてスライドファスナーの芯紐を加締めることによって、芯紐を挟み込む形で固定している。芯紐を加締めた後における箱棒の表側面と裏側面の突出部間の厚さは、常に一定とはならないので、突出部とスライダーの翼片内面との間隔の許容寸法の範囲を広く設計しておく必要がある。そこで、突出部の高さを高くしてスライダーの翼片内面との接触を確実に行ってスライダーの保持力を確保するとともに、突出部の面積を減少させておくことで、突出部とスライダーの翼片内面との間の押圧力が強くても、スライダーを摺動させる際の摩擦力が大きくなりすぎないようにすることができる。
【００２１】
更に、前記上スライダーにおける表裏翼片の前記各内面間の間隔よりも、前記下スライダーにおける表裏翼片の内面間の間隔を大きく設定することによって、下スライダーと箱棒との間では保持力を無くし、下スライダーを下端から上方に向けて摺動する際の始動抵抗を減少させて、操作感を向上させることができる。
【００２２】
更に、前記箱棒における前記下スライダーの表裏翼片の内面と相対する表側面及び裏側面の少なくとも一方に、下スライダー翼片の内面と接触して、下スライダーの自由な摺動を制限する突出部を形成することによって、上スライダー及び下スライダーを箱棒の下端に保持しておくことがより確実となり、蝶棒の嵌入操作が容易となる。
【発明を実施するための最良の形態】
【００２３】
以下、本発明に係る逆開きスライドファスナーの代表的な実施形態について、図面を参照しながら具体的に説明する。
【実施例１】
【００２４】
図１は、逆開きスライドファスナー１０全体の外観図であり、上スライダー５０を上止具１８，１８の当接位置から下方に少し下げ、下スライダー６０を開離嵌挿具である蝶棒３０及び箱棒４０の挿入位置から上方に少し上げて、上下端部を開いた状態を示す正面図である。また、図２は、箱棒４０が連設されている右ファスナーストリンガー１７（第１ファスナーストリンガー）の箱棒取付端に隣接する部位を切断して示す部分斜視図であり、図３は、蝶棒３０が連設されている左ファスナーストリンガー１６（第２ファスナーストリンガー）の蝶棒取付端に隣接する部位を切断して示す部分斜視図である。
【００２５】
図１に示すように、逆開きスライドファスナー１０は、例えばロングコートなどの左前身頃と右前身頃との開閉を可能にする開閉具である。左ファスナーストリンガー１６及び右ファスナーストリンガー１７と、左ファスナーストリンガー１６及び右ファスナーストリンガー１７の対向する側縁部に沿って配された左右の芯紐１４と、それぞれの芯紐１４を挟持するように所定の間隔をおいて多数の務歯１２ａ，１３ａを列設した左務歯列１２（第２務歯列）及び右務歯列１３（第１務歯列）とを備えている。
【００２６】
また、逆開きスライドファスナー１０は、左務歯列１２及び右務歯列１３を挿通して上開きを可能にする上スライダー５０、及び逆開きを可能にする下スライダー６０を備えている。上スライダー５０の後ろ口と下スライダー６０の後ろ口とが対向するように配置している。左務歯列１２及び右務歯列１３の上方の芯紐１４部分には、左務歯列１２及び右務歯列１３から上スライダー５０が脱落することを防止するための上止具１８が固着してある。なお、本発明は、逆開きが可能な隠しスライドファスナーに適用することも可能である。
【００２７】
図１及び図２に示すように、右ファスナーストリンガー１７下端の表裏には、樹脂製フィルムなどによる補強フィルム２４を貼着してある。この補強フィルム２４及び芯紐１４を共に挟み込む形で箱棒４０を連設してある。
【００２８】
箱棒４０下端の端部にはフック状のストッパー４６が形成され、下スライダー６０を最下位まで下げた際において、下スライダー６０の肩口部分と当接することにより、下スライダー６０が下方に脱落することを防止する。図１及び図２に示した実施例では、ストッパー４６を、箱棒４０の下端から噛合軸線とは反対側の外側に向けて突出させることによって、下スライダー６０の肩口に係合させる実施例を示してある。本発明に係るストッパー４６の形状は、図１及び図２に示したストッパー４６の形状に限定するものではなく、ストッパーを箱棒下端部からスライドファスナーの表方向又は裏方向に突出させることによって、下スライダーにおける表翼片５２の端面又は裏翼片５４の端面と当接させて、下スライダーが下方に脱落することを防止してもよい。
【００２９】
箱棒４０の蝶棒３０と相対する対向側面には、図１及び図２に示すように、右務歯列１３が存在する側に向けた平面からなる第１係止部４４と、下スライダー６０の内部に形成されている連結柱６６（図４〜図６参照。）が案内されて左務歯列１２と右務歯列１３との噛合解除を容易にするための案内面４３とを有する三角片状の第１係止案内片４２が突出されている。第１係止部４４は、後述する蝶棒３０の第２係止部３４と係合する部分である。
【００３０】
箱棒４０上方における上スライダー５０の表翼片５２（図７参照。）の平坦な内面と相対する表側面には、上スライダー５０の表翼片５２の内面と接触することにより、上スライダー５０を最下位まで下げた状態において、上スライダー５０の自由な摺動を抑制する本発明の特徴部である突出部４８が形成されている。
【００３１】
また、図１及び図３に示すように、左ファスナーストリンガー１６下端の表裏にも、樹脂製フィルムなどによる補強フィルム２４が貼着されている。この補強フィルム２４及び芯紐１４を共に挟み込む形で蝶棒３０を連設している。
【００３２】
蝶棒３０において、箱棒４０と相対する対向側面には、係止面を下方（図２の奥行き方向）に向けた平板状の第２係止部３４が形成されている。この第２係止部３４は、下スライダー６０に箱棒２０と蝶棒３０とを挿入したとき、前述の箱棒４０の第１係止部４４と係合する部分である。第２係止部３４の箱棒対向側の端縁には、同第２係止部３４から屈曲して下方に向けて延び、下スライダー６０内部の連結柱６６（図４〜図６参照。）に案内される案内面３３を有する第２係止案内片３２が立設されている。なお、第２係止案内片３２は、蝶棒３０から立設する第２係止部３４を補強する役目も果たしている。
【００３３】
箱棒４０と相対する対向側面には、第２係止案内片３２と第２係止部３４とで囲まれる部分に、箱棒４０の対向側縁から突出する第１係止部４４との干渉を避けるための逃げ溝３６が開口している。また、左務歯列１２側の第２係止部３４の上部には、右務歯列１３の最下位にある務歯１３ａの噛合頭部の谷部に噛合する噛合突起３８を形成している。
【００３４】
次に、図１に示す状態から下スライダー６０を最下位に引き下ろした状態について、図４に示す断面図を用いて説明する。
図４は、逆開きスライドファスナー１０の下スライダー６０のみを最下位まで下げた状態を示す図であり、図７のＩＶ−ＩＶ矢視断面図である。
下スライダー６０及び上スライダー５０は、その内部に各スライダー５０，６０を前後方向に貫通する務歯案内通路を有している。務歯案内通路は、スライダーの前端側に設けられた肩口と、後端側に設けられた後ろ口とを有し、肩口は、分離した左右務歯を務歯案内通路へ導入又は排出し、後ろ口は、噛合した左右務歯を務歯案内通路へ導入又は排出する。
【００３５】
下スライダー６０を下げると、下スライダー６０の後ろ口からは、分離状態にある左右の噛合列１２，１３が噛合状態となって出てくる。更に下スライダー６０を下げてゆくと、箱棒４０と蝶棒３０とが下スライダー６０の肩口から挿入され、箱棒４０下端の端部に形成されているストッパー４６が下スライダー６０の肩口部分に当接して停止する。この位置が下スライダー６０の最下位となる。
【００３６】
この状態では、下スライダー６０の後ろ口と上スライダー５０の後ろ口との間の部分では、左務歯列１２及び右務歯列１３が噛合した状態となっている。また、右務歯列１３の最下位にある務歯１３ａの下面谷部には、蝶棒３０上端に上向きに突出する噛合突起３８が係合している。
【００３７】
蝶棒３０の上部に設けられた第２係止案内片３２の奥側には、箱棒４０から突出している第１係止案内片４２が存在しており、蝶棒３０の対向側縁部に形成されている逃げ溝３６に入り込んだ状態となっている。
【００３８】
次に、図４に示す状態から上スライダー５０を下げたときの状態を、図５を参照して説明する。
図５は、下スライダー６０と接触する最下位まで上スライダー５０を下げた状態を示す図であり、図７のＩＶ−ＩＶ線に沿った矢視断面図である。
【００３９】
上スライダー５０を引き下げると、噛合状態にある左右の務歯列１２，１３が分離した状態で、上スライダー５０の肩口から出てくる。そして、更に上スライダー５０を引き下げてゆくと、上スライダー５０の後ろ口部分が下スライダー６０の後ろ口部分に当接して停止する。この位置が上スライダー５０の最下位となる。
【００４０】
この状態では、左務歯列１２及び右務歯列１３における全ての務歯が分離した状態となるので、着衣者は、左ファスナーストリンガー１６下端部の比較的剛性が高い補強フィルム２４の部分を摘んで、矢印ＰＯ方向に引き上げることにより、蝶棒３０を下スライダー６０及び上スライダー５０から引き抜くことができる。こうして、衣服の右前身頃と左前身頃とが開くので脱衣及び着衣が容易に行える。
【００４１】
なお、蝶棒３０を図５に示す状態から矢印ＰＯ方向に引き抜くことは可能であるが、逆に蝶棒３０を上下のスライダー５０，６０に対して逆な矢印ＰＩ方向に押し下げようとしても、箱棒４０の第１係止部４４と蝶棒３０の第２係止部３４とが当接するために、図５に示す位置から蝶棒３０は単独で下方に移動することができないように構成されている。
【００４２】
次に、図５に示す状態から左ファスナーストリンガー１６を引き上げたときの状態を、図６を参照して説明する。
図６は、左ファスナーストリンガー１６の蝶棒３０の先が、上スライダー５０の図面左側の肩口に嵌挿されている状態を示す図であり、図７のＩＶ−ＩＶ線に沿った矢視断面図である。
【００４３】
この図６に示す状態まで左ファスナーストリンガー１６が引き上げられると、以降は抵抗なく上スライダー５０から矢印ＰＯ方向に蝶棒３０を抜き取ることができる。また、完全に上スライダー５０から蝶棒３０を抜き取った状態から、改めて蝶棒３０を上スライダー５０の左肩口に挿入すると、図６に示す状態を経て、図５に示し先に説明したとおり、第１係止部４４に第２係止部３４が当接する位置まで蝶棒３０を挿入することができる。この状態で、上スライダー５０を上方に向けて引き上げると、左務歯列１２と右務歯列１３とが噛合して、衣服の左前身頃と右前身頃が閉じて、双方の前身頃同士を結合させることができる。
【００４４】
次に、箱棒４０の表側側面及び裏側側面に形成した突出部４８の構造とその機能について、図７を参照して説明する。図７は、図６のＶＩＩ−ＶＩＩ線に沿った矢視断面図である。なお、図７に示す実施例では、箱棒４０の表側側面及び裏側側面の両側面に突出部４８を形成した実施例を示してあるが、箱棒４０の表側側面及び裏側側面のいずれか一方にのみ突出部４８を形成してもよい。
【００４５】
図７に示すように、上スライダー５０の表面側には表翼片５２を有しており、裏面側に裏翼片５４を有している。なお、表裏翼片５２，５４は、上スライダー５０における両肩口の中央部に配置されている連結柱５６（図４〜図６参照。）によって、互いに連結されている。また、表裏翼片５２、５４の左右両側縁に沿って、対向状に突出する表裏フランジ５２ａ、５４ａが設けられており、表裏翼片５２，５４、連結柱５６、左右の表裏フランジ５２ａ，５４ａによって囲まれる空間が務歯案内通路となる。箱棒４０の表側側面及び裏側側面に形成した突出部４８は、表翼片５２の平坦な内面と裏翼片５４の平坦な内面に対して、締まりばめ又は中間ばめにて接触するように構成する。なお、突出部４８と、表翼片５２の内面及び裏翼片５４の内面とを、締まりばめにて接触させる場合には、Ｃ形断面を有する箱棒４０を薄肉にしておき、突出部４８が、表翼片５２の内面と裏翼片５４の内面との間の内側高さに倣って弾性変形が容易となるように構成してもよい。
【００４６】
このように、突出部４８を、上スライダー５０の表翼片５２内面と裏翼片５４内面とに接触した状態にしておくことにより、この接触部にて生ずる摩擦力により、上スライダー５０の自由な摺動を抑制することができる。したがって、蝶棒３０を上スライダー５０及び下スライダー６０から抜き取って開離させた状態においても、上スライダー５０及び下スライダー６０を箱棒４０の下端に保持しておくことが可能となり、蝶棒３０の抜き取り操作や挿入操作を容易に行うことができる。
【００４７】
次に、左前身頃及び右前身頃の丈が裾の方向に長く、下端が足元付近まで延びているような衣服の下端に、逆開きスライドファスナー用の開離嵌挿具２２を用いた場合であって、上スライダー５０及び下スライダー６０に蝶棒３０を挿入する際の操作について説明する。
【００４８】
この例のように、足元付近に存在する上スライダー５０及び下スライダー６０に蝶棒３０を挿入するのは容易ではないので、右ファスナーストリンガー１７の下方を着衣者から見て前方に屈曲させてゆき、着衣者が見易い位置まで持ち上げた状態にしてから蝶棒３０を挿入することになる。このように、右ファスナーストリンガー１７の下端を前方に屈曲させて持ち上げると、逆開きスライドファスナー１０の下端において上下関係が逆さになるので、下スライダー６０が上方に位置するとともに、上スライダー５０がその下方に位置することになる。すると、重力により上スライダー５０が単独で、又は上スライダー５０及び下スライダー６０が同時に、箱棒４０から離間する方向に滑り落ちる不具合が生じる。このように上スライダー５０が箱棒４０から離間してしまうと、挿入しようとしている蝶棒３０が箱棒４０側の右務歯列１３と干渉してしまい、蝶棒３０を挿入することができなくなる。
【００４９】
本実施形態によれば、箱棒４０の上部に突出部４８を形成して、この突出部４８を上スライダー５０の表翼片５２の内面と裏翼片５４の内面とに接触させるように構成しているため、上スライダー５０の自由な摺動を抑制し、上スライダー５０の後ろ口部分と箱棒４０のストッパー４６との間に下スライダー６０を挟み込んで状態で静止させておくことができる。その結果、右務歯列１３と蝶棒３０との干渉が防止され、蝶棒３０の挿入作業を容易に行うことができるようになる。
【００５０】
また、本発明によれば、特許文献１に記載されているスライダーのように、箱棒４０上方に形成した突出部４８と相対する表翼片５２内面と裏翼片５４内面とに凹部を形成する必要が無いので、製造が簡単で安価な上スライダー５０を用いることができ、逆開きスライドファスナー用の開離嵌挿具２２としても安価に提供することができる。
【００５１】
なお、上スライダー５０における表翼片５２の内壁面と裏翼片５４内壁面との間の間隔よりも、下スライダー６０における表翼片５４の内壁面と裏翼片６４の内壁面との間の間隔を大きく設定することによって、箱棒４０と上スライダー５０との間で所定の摩擦力を発生させつつ、箱棒４０と下スライダー６０との間では接触を無くして摩擦力を発生させないようにすることができる。このように構成することによって、上スライダー５０の自由な摺動を抑制しつつ、下スライダー６０の始動時の摺動抵抗を低減して、スライドファスナーの開閉操作感を向上させることができる。
【実施例２】
【００５２】
次に、箱棒の側面に形成する突出部の配置に関する他の実施例について説明する。
図８は、箱棒１４０の上部表側面（図面手前側）に本発明の特徴部である突出部４８を形成するとともに、箱棒１４０の中央部表側面（図面手前側）にも突出部１４９を形成した状態を示す断面図である。この図８は、図６に示した断面図と同様に、上スライダー５０及び下スライダー１６０とを最下位まで引き下げ、蝶棒３０を完全に引き抜いた状態を示す図である。なお、図６に示したものと同一の機能を奏する部品、又は部分については、同一の記号を付して、その説明を省略する。
【００５３】
図８に示すように、箱棒１４０の上部における、上スライダー５０の表翼片５２（図７参照。）の内面と相対する表側面には、上スライダー５０の表翼片５２の内面と接触することにより、上スライダー５０を最下位まで引き下げた状態において、上スライダー５０の自由な摺動を抑制する突出部４８を形成してある。同様に、箱棒１４０の中央部における下スライダー１６０の表翼片内面と相対する表側面には、下スライダー１６０の表翼片内面と接触することにより、下スライダー１６０を最下位まで引き下げた状態において、下スライダー１６０の自由な摺動を抑制する突出部１４９を形成してある。
【００５４】
このように構成することにより、上スライダー５０及び下スライダー１６０の双方を最下位まで下げた状態において、上部及び中央部の２箇所において箱棒１４０が上スライダー５０及び下スライダー６０の摺動を抑制することにより、より確実に上スライダー５０を最下位に保持しておくことができるので、逆開きスライドファスナーの下端部において上下関係を逆さにした場合であっても、蝶棒３０を上スライダー５０及び下スライダー６０に挿入する際の操作性を向上させることができる。
【実施例３】
【００５５】
次に、箱棒の側面に形成する突出部の形状に関する他の実施例について説明する。
図９は、箱棒２４０の上部の表裏側面に長円形の突出部２４８を複数形成した実施例を示す斜視図である。なお、図２に示したものと同一の機能を奏する部品、又は部分については、同一の記号を付して、その説明を省略する。
【００５６】
図９に示すように、箱棒２４０における上スライダー５０の表翼片５２（図７参照。）の内面と相対する表側面に、上スライダー５０の表翼片５２内面と複数の位置で接触することにより、上スライダー５０を最下位まで下げた状態において、上スライダー５０の自由な摺動を抑制する長円形の突出部２４８を複数形成している。
【００５７】
このように、箱棒２４０に長円形の突出部２４８を構成することによって、上スライダー５０の表翼片５２及び裏翼片５４のうちの少なくともいずれか一方の内面に、少ない面積で接触して、上スライダー５０を最下位に保持することができる。したがって、逆開きスライドファスナー１０の下端において、上下関係を逆さにした場合であっても、蝶棒３０を上スライダー５０に挿入する際の操作性を向上させることができる。また、突出部２４８と上スライダー５０の表裏内面との間隔の許容寸法の範囲を広くするために、突出部２４８の高さを高くした場合であっても、上スライダー５０を最下位に保持しておくための保持力を、所定の範囲内に維持しておくことができる。
【実施例４】
【００５８】
次に、箱棒の側面に形成する突出部の形状に関する他の実施例について説明する。
図１０は、箱棒３４０の上方側面に円錐台形状の突出部３４８を複数形成した実施例を示す斜視図である。なお、図２に示したものと同一の機能を奏する部品、又は部分については、同一の記号を付して、その説明を省略する。
【００５９】
図１０に示すように、箱棒３４０における上スライダー５０の表翼片５２（図７参照。）の内面と相対する表側面には、上スライダー５０の表翼片５２の内面と接触することにより、上スライダー５０を最下位まで引き下げた状態において、上スライダー５０の自由な摺動を抑制する円錐台形状の突出部３４８が複数形成されている。この円錐台形の突出部３４８に代えて、円柱形状の突出部を用いることもできる。
【００６０】
このように、箱棒３４０に円錐台形状及び／又は円柱形状の突出部３４８を構成することによって、上スライダー５０の表翼片５２及び裏翼片５４のうちの少なくともいずれか一方の内面に、少ない接触面積で接触して、上スライダー５０を最下位に保持することができる。したがって、逆開きスライドファスナーの下端側において同ファスナーを折り返すことにより上下関係を逆にした場合であっても、蝶棒３０を上スライダー５０に挿入する際の操作性を向上させることができる。また、突出部３４８と上スライダー５０の表裏内面との間隔の許容寸法の範囲を広くするために、突出部３４８の高さを高くした場合であっても、上スライダー５０を最下位に保持しておくための保持力を、所定の範囲内に維持しておくことができる。
【図面の簡単な説明】
【００６１】
【図１】逆開きスライドファスナー全体を一部省略して示す外観正面図である。
【図２】箱棒が連設されている右ファスナーストリンガー下端の断面斜視図である。
【図３】蝶棒が連設されている左ファスナーストリンガー下端の断面斜視図である。
【図４】下スライダーのみを最下位まで引き下げたときの、図７のＩＶ−ＩＶ線に沿った矢視断面図である。
【図５】下スライダーと接触する最下位まで上スライダーを引き下げたときの、図７のＩＶ−ＩＶ矢視断面図である。
【図６】左ファスナーストリンガーの蝶棒の先が、上スライダーの左側の肩口部分に挿入されているときの、図７のＩＶ−ＩＶ矢視断面図である。
【図７】箱棒の表側面及び裏側面に形成した突出部の構造とその機能を説明する説明図である。
【図８】箱棒の側面に形成する突出部の配置に関する他の実施例について説明する斜視図である。
【図９】箱棒の側面に長円形の突出部を複数形成した実施例について説明する斜視図である。
【図１０】箱棒の側面に円錐台形状の突出部を複数形成した実施例について説明する斜視図である。
【符号の説明】
【００６２】
１０  逆開きスライドファスナー
１２  左務歯列
１３  右務歯列
１４  芯紐
１６  左ファスナーストリンガー
１７  右ファスナーストリンガー
１８  上止具
２２  開離嵌挿具
２４  補強フィルム
３０  蝶棒
３２  第２係止案内片
３３，４３  案内面
３４  第２係止部
３６  逃げ溝
３８  噛合突起
４０，１４０，２４０，３４０  箱棒
４２  第１係止案内片
４４  第１係止部
４６  ストッパー
４８，１４９，２４８，３４８  突出部
５０  上スライダー
５２  表翼片
５４，６４  裏翼片
５６，６６  連結柱
６０，１６０  下スライダー
【図１】
0004726876.tif 000002
【図２】
0004726876.tif 000003
【図３】
0004726876.tif 000004
【図４】
0004726876.tif 000005
【図５】
0004726876.tif 000006
【図６】
0004726876.tif 000007
【図７】
0004726876.tif 000008
【図８】
0004726876.tif 000009
【図９】
0004726876.tif 000010
【図１０】
0004726876.tif 000011